(57)【要約】【課題】ユーザに極力負担をかけることなく、プログラムデータの更新を行うことが可能な受信装置を提供する。【解決手段】この受信装置（テレビジョン装置１）は、テレビジョン放送を受信することが可能なチューナユニット２と、テレビジョン放送を視聴するためのファームウェアおよび少なくとも番組の視聴履歴を含む装置本体の動作履歴を記憶するためのフラッシュメモリ９と、ファームウェアに基づいて装置本体を制御するとともに、フラッシュメモリ９に記憶された動作履歴に基づいてファームウェアの更新を行う制御部７とを備えている。【選択図】図１
2008294897.tif 000002
【特許請求の範囲】
【請求項１】
テレビジョン放送を受信することが可能な受信部と、
前記テレビジョン放送を視聴するためのプログラムデータを記憶する第１記憶部と、
少なくとも番組の視聴履歴を含む装置本体の動作履歴を記憶するための第２記憶部と、
前記プログラムデータに基づいて前記装置本体を制御するとともに、前記第２記憶部に記憶された前記動作履歴に基づいて前記プログラムデータの更新を行う制御部とを備えた、受信装置。
【請求項２】
前記テレビジョン放送を録画する第３記憶部をさらに備え、
前記動作履歴は、番組の録画予約履歴をさらに含む、請求項１に記載の受信装置。
【請求項３】
前記制御部は、前記動作履歴とともに、現在の番組の録画予約状況にも基づいて、前記プログラムデータの更新を行うように構成されている、請求項２に記載の受信装置。
【請求項４】
前記制御部は、前記動作履歴に基づいて、最も動作頻度の低いときに前記プログラムデータの更新を行うように構成されている、請求項１〜３のいずれか１項に記載の受信装置。
【請求項５】
前記制御部は、前記動作履歴を所定の時間帯ごとに前記記憶部に記憶させるように構成されている、請求項１〜４のいずれか１項に記載の受信装置。
【発明の詳細な説明】
【技術分野】
【０００１】
この発明は、受信装置に関し、特に、プログラムデータの更新を行う受信装置に関する。
【背景技術】
【０００２】
従来、プログラムデータの更新を行う受信装置が知られている（たとえば、特許文献１〜３参照）。
【０００３】
上記特許文献１に記載のデジタル放送受信装置は、装置の電源がオフ状態に切り替えられた後、初期化処理（プログラムデータの更新）を開始するように構成されている。
【０００４】
上記特許文献２に記載の信号受信装置は、電源がオン状態になった場合に、ソフトウェアの更新を行うか否かを選択するための選択画面が表示され、この選択画面において、ユーザがソフトウェアの更新を行うように選択することによって、更新が行われるように構成されている。また、ユーザがソフトウェアの更新を行うか否かの選択を所定時間行わなかった場合には、自動的に更新が行われるように構成されている。
【０００５】
上記特許文献３に記載のＪａｖａ（登録商標）アプレット更新装置（受信装置）は、サーバに最新のＪａｖａ（登録商標）アプレットがアップロードされた場合に、装置内のＪａｖａ（登録商標）アプレットが使用されていないと判断された後、最新のＪａｖａ（登録商標）アプレットのダウンロードを開始するように構成されている。
【０００６】
【特許文献１】特開２００６−１９７１９７号公報
【特許文献２】特開２００６−６０３４５号公報
【特許文献３】ＷＯ２００５／００１６８８号公報（再公表公報）
【発明の開示】
【発明が解決しようとする課題】
【０００７】
しかしながら、上記特許文献１では、電源がオフ状態に切り替えられた後、初期化処理が開始されるので、ユーザが使用していない状態で初期化処理を開始することができる一方で、初期化処理の開始後、ユーザが再度電源をオン状態に切り替えた場合には、初期化処理が終了されるまでの間、ユーザの操作が制限され、ユーザに負担がかかるという不都合がある。また、ユーザの操作によっては、初期化処理が途中で停止される場合があり、その結果、初期化処理を正常に完了させることができない場合があるという不都合がある。したがって、このデジタル放送受信装置では、ユーザに負担をかけることなく、初期化処理を行うことができない場合があるという問題点がある。
【０００８】
また、上記特許文献２では、ソフトウェアの更新を行うためにユーザが選択画面から更新を行うように選択する操作が必要であり、ユーザに負担がかかるという不都合がある。また、ユーザが更新を行うか否かの選択を所定時間行わなかった場合には、自動的に更新が行われるので、ユーザの意に反して更新が開始される場合があり、その場合には、更新が終了されるまでの間、ユーザの操作が制限され、ユーザに負担がかかるという不都合がある。したがって、この信号受信装置では、ユーザに負担をかけることなく、ソフトウェアの更新を行うことができない場合があるという問題点がある。
【０００９】
また、上記特許文献３では、装置内のＪａｖａ（登録商標）アプレットが使用されていないと判断された後、最新のＪａｖａ（登録商標）アプレットのダウンロードが開始されるので、ユーザがＪａｖａ（登録商標）アプレットを使用していない状態でダウンロードを開始することができる一方で、ダウンロードが開始された後、ユーザがＪａｖａ（登録商標）アプレットの使用を開始した場合には、ダウンロードが終了されるまでの間、ユーザの操作が制限され、ユーザに負担がかかるという不都合がある。したがって、このＪａｖａ（登録商標）アプレット更新装置では、ユーザに負担をかけることなく、最新のＪａｖａ（登録商標）アプレットのダウンロードを行うことができない場合があるという問題点がある。
【００１０】
この発明は、上記のような課題を解決するためになされたものであり、この発明の１つの目的は、ユーザに極力負担をかけることなく、プログラムデータの更新を行うことが可能な受信装置を提供することである。
【課題を解決するための手段および発明の効果】
【００１１】
この発明の一の局面による受信装置は、テレビジョン放送を受信することが可能な受信部と、テレビジョン放送を視聴するためのプログラムデータを記憶する第１記憶部と、少なくとも番組の視聴履歴を含む装置本体の動作履歴を記憶するための第２記憶部と、プログラムデータに基づいて装置本体を制御するとともに、第２記憶部に記憶された動作履歴に基づいてプログラムデータの更新を行う制御部とを備えている。
【００１２】
この一の局面による受信装置では、上記のように、プログラムデータを記憶する第１記憶部と、装置本体の動作履歴を記憶するための第２記憶部と、第２記憶部に記憶された動作履歴に基づいてプログラムデータの更新を行う制御部とを設けることによって、動作履歴に基づいて、ユーザが装置を使用する頻度の低いときを選んで、プログラムデータの更新を行うことができるので、ユーザが装置を使用する可能性の低いときに、プログラムデータの更新を行うことができる。これにより、プログラムデータの更新を開始した後に、ユーザによって装置の使用が開始される可能性を低くすることができるので、ユーザの操作が制限される可能性、および、ユーザの操作によって、プログラムデータの更新が途中で停止される可能性を低くすることができる。その結果、ユーザに極力負担をかけることなく、プログラムデータの更新を行うことができる。
【００１３】
上記一の局面による受信装置において、好ましくは、テレビジョン放送を録画する第３記憶部をさらに備え、動作履歴は、番組の録画予約履歴をさらに含んでいる。このように構成すれば、制御部が、番組の視聴履歴のみならず、番組の視聴履歴と録画予約履歴の両方に基づいて、ユーザが装置を使用する頻度の低いときを選んで、プログラムデータの更新を行うことができるので、プログラムデータの更新を開始した後に、ユーザによって装置の使用が開始される可能性をより低くすることができる。
【００１４】
この場合、好ましくは、制御部は、動作履歴とともに、現在の番組の録画予約状況にも基づいて、プログラムデータの更新を行うように構成されている。このように構成すれば、録画予約が行われていないときを選んで、プログラムデータの更新を行うことができるので、プログラムデータの更新により録画予約が消去されるのを防ぐことができる。
【００１５】
上記一の局面による受信装置において、好ましくは、制御部は、動作履歴に基づいて、最も動作頻度の低いときにプログラムデータの更新を行うように構成されている。このように構成すれば、ユーザが装置を使用する可能性の最も低いときにプログラムデータの更新を行うことができるので、プログラムデータの更新を開始した後に、ユーザによって装置の使用が開始される可能性を最も低くすることができる。これにより、ユーザにかかる負担を最小限度にすることができる。
【００１６】
上記一の局面による受信装置において、好ましくは、制御部は、動作履歴を所定の時間帯ごとに記憶部に記憶させるように構成されている。このように構成すれば、所定の時間帯ごとの動作履歴に基づいて、ユーザが装置を使用する頻度の低い時間帯に、プログラムデータの更新を行うことができる。
【発明を実施するための最良の形態】
【００１７】
以下、本発明を具体化した実施形態を図面に基づいて説明する。
【００１８】
図１は、本発明の一実施形態によるテレビジョン装置の構成を説明するためのブロック図である。まず、図１を参照して、本発明の一実施形態によるテレビジョン装置１の構成について説明する。なお、本実施形態では、受信装置の一例であるテレビジョン装置１に本発明を適用した場合について説明する。
【００１９】
図１に示すように、テレビジョン装置１は、テレビアンテナ２０を介してデジタル放送に対応したテレビジョン放送を受信するチューナユニット２と、パーソナルコンピュータ３０やＤＶＤプレーヤ４０などの外部機器と接続される複数の端子３ａを含む外部入力基板３と、ＬＣＤ（Ｌｉｑｕｉｄ  Ｃｒｙｓｔａｌ  Ｄｉｓｐｌａｙ）からなる表示部４と、双方向通信を行うことが可能なようにインターネットに接続するためのインターネットコントローラ５と、チューナユニット２、外部入力基板３およびインターネットコントローラ５から入力される複数の信号から特定の信号を選択して表示部４に出力するＡＶスイッチ６と、テレビジョン装置１の各部を制御する制御部（ＣＰＵ）７とを備えている。なお、チューナユニット２は、本発明の「受信部」の一例である。
【００２０】
また、テレビジョン装置１は、ボリューム、チャンネルなどの変更、および、設定の変更などを行うための複数のボタン８ａを有する入力部８を備え、入力部８は、リモコン５０からの信号を受信する受信部８ｂを含んでいる。このリモコン５０によっても、上記ボリューム、チャンネルなどの変更の操作を行うことが可能である。この入力部８またはリモコン５０による信号は、制御部７に入力され、制御部７は、その信号に基づいて、所定の処理を行うようにテレビジョン装置１の各部を制御するように構成されている。
【００２１】
チューナユニット２は、テレビジョン装置１が有するオートプリセット機能によって、所定地域において視聴可能なチャンネルのテレビジョン放送を検出し、各種情報を取得するように構成されている。ここで、オートプリセット機能とは、テレビジョン装置１が設置される地域を選択するだけで、自動的に視聴可能なチャンネルを受信可能な状態にセットする機能である。また、チューナユニット２は、ユーザがチャンネルを指定した場合には、制御部７からの指示に基づいて、対応するテレビジョン放送の受信を行うとともに、その結果得た信号を制御部７を介してＡＶスイッチ６に出力するように構成されている。
【００２２】
また、チューナユニット２は、更新通知を受信するように構成されている。この更新通知は、テレビジョン放送に盛り込まれ、番組情報（ＥＰＧ；Ｅｌｅｃｔｒｏｎｉｃ  Ｐｒｏｇｒａｍ  Ｇｕｉｄｅ）などとともに受信されるとともに、チューナユニット２は、この更新通知に基づいて、ファームウェアを最新のバージョンに更新するためのファームウェア更新データを受信する。更新通知には、ファームウェア更新データが送信される日時などの情報が含まれている。また、更新通知は、受信された後、制御部７によってフラッシュメモリ９に記憶される。なお、フラッシュメモリ９は、本発明の「第１記憶部」および「第２記憶部」の一例である。
【００２３】
また、表示部４は、ＡＶスイッチ６から入力されたテレビジョン放送、外部機器およびインターネットからの信号に基づく映像を表示するように構成されている。
【００２４】
また、ＡＶスイッチ６は、チューナユニット２、外部入力基板３およびインターネットコントローラ５から入力される複数の信号から特定の信号を選択するように、制御部７によって制御される。
【００２５】
また、制御部７は、ＥＥＰＲＯＭ１０に記憶された各種設定情報、および、フラッシュメモリ９に記憶されたファームウェアに基づいてテレビジョン装置１の制御を行うように構成されている。各種設定情報には、たとえば、表示部４における表示に関する設定などが含まれる。具体的には、視聴制限に関する設定、キャプション（字幕）の設定、および、言語の設定などである。これらの設定情報は、工場出荷時においては、テレビジョン装置１の標準的な使用態様に対応する設定状態（初期設定状態）に設定されている。また、ファームウェアには、テレビジョン放送、外部機器およびインターネットからの信号に基づいた映像の視聴を可能とするのみならず、テレビジョン装置１の全体を制御するためのプログラムデータが含まれている。
【００２６】
ここで、本実施形態では、制御部７は、ユーザがテレビジョン放送、外部機器またはインターネットからの信号に基づく映像を視聴した視聴履歴と、これらの映像を録画予約した録画予約履歴とを動作頻度測定データとしてフラッシュメモリ９に記憶するように構成されている。具体的には、図２に示すように、動作頻度測定データは、４時間単位に区切られた時間帯ごとに、視聴および録画予約の履歴が記憶されるように構成されている。たとえば、制御部７は、ユーザが３０分以上映像の視聴をした場合に、視聴履歴を１つ追加し、録画予約が行われた場合に、録画予約履歴を１つ追加するように動作頻度測定データを書き換えるように構成されている。これにより、ユーザの操作により行われるテレビジョン装置１の動作履歴のうち、視聴および録画予約の、購入時からの累積的な履歴が、フラッシュメモリ９に記憶される。また、録画予約が行われた場合には、フラッシュメモリ９に格納されている録画予約リストに予約情報が追加され、録画が終了、または、キャンセルされた場合に、録画予約リストから削除される。これにより、録画予約リストを参照することによって、現在、テレビジョン装置１に行われている録画予約の情報を確認することが可能である。
【００２７】
また、制御部７は、上記した更新通知に基づいて、ファームウェア更新データを受信するようにチューナユニット２を制御するとともに、受信されたファームウェア更新データをフラッシュメモリ９に記憶するように構成されている。具体的には、制御部７は、更新通知に基づいて、送信されるファームウェア更新データが、現在のファームウェアのバージョンよりも新しい最新のバージョンのデータであるか否か、および、フラッシュメモリ９にすでに記憶されているか否かを判断する。これにより、何度も同じデータが受信されるのを防止し、確実に最新のバージョンのデータを受信することが可能である。さらに、制御部７は、テレビジョン装置１の現在の動作状態がスタンバイ状態であるか否かを判断するように構成されている。そして、上記３つの判断において、送信されるファームウェア更新データが最新のデータで、フラッシュメモリ９にまだ記憶されておらず、かつ、テレビジョン装置１がスタンバイ状態であると判断した場合に、受信を開始するようにチューナユニット２を制御する。受信が途中で停止されることなく、正常に完了された場合には、制御部７は、ファームウェア更新データをフラッシュメモリ９に記憶し、正常に完了されなかった場合には、更新通知に基づいて、次回送信される際に、再度上記の判断をした上で、受信するようにチューナユニット２を制御する。ここで、テレビジョン装置１の動作状態がスタンバイ状態であるとは、主電源はオン状態であるが、装置の特定部以外は、起動されていない状態である。
【００２８】
また、本実施形態では、ファームウェア更新データがフラッシュメモリ９に記憶された場合には、制御部７は、動作履歴、現在の録画予約状況およびテレビジョン装置１の動作状況に基づいて、ファームウェアの更新を行うように構成されている。具体的には、制御部７は、フラッシュメモリ９に記憶されているファームウェア更新データが最新のデータであるか否かを再度判断した上で、動作履歴測定データに基づいて、現在時刻が動作頻度最小時間帯であるか否かを判断する。ここで、動作頻度最小時間帯とは、動作頻度測定データに追加された視聴履歴と録画予約履歴との合計値が最も小さい時間帯をいう。すなわち、制御部７は、現在時刻が、視聴および録画予約が行われる頻度が最も低い時間帯であるか否かを判断するように構成されている。これにより、ユーザがテレビジョン装置１を使用する可能性の最も低い時間帯を判断することが可能である。また、制御部７は、録画予約リストに基づいて、現在、録画予約が行われているか否かを判断するとともに、テレビジョン装置１の動作状態がスタンバイ状態であるか否かを判断する。これにより、現在行われている録画予約が消去されるのを防止するとともに、現在、ユーザがテレビジョン装置１を使用していないことを判断することが可能である。上記４つの判断において、制御部７は、ファームウェア更新データが最新で、現在時刻が動作頻度最小時間帯であり、録画予約が行われておらず、かつ、スタンバイ状態であると判断した場合に、ファームウェアの更新を行うように構成されている。また、制御部７は、ファームウェアの更新が終了された後、ファームウェア更新データを削除するように構成されている。
【００２９】
また、ＳＤＲＡＭ１１は、制御部７により演算が行われる際に、データが一時記憶されるメモリである。また、ハードディスク１２は、録画されたデータを記憶するとともに、ユーザの操作によって記憶したデータを削除することも可能なように構成されている。なお、ハードディスク１２は、本発明の「第３記憶部」の一例である。
【００３０】
図３は、図１に示した本発明の一実施形態によるテレビジョン装置の動作頻度測定データを更新する動作を説明するためのフロー図である。次に、図３を参照して、本発明の一実施形態によるテレビジョン装置１の動作頻度測定データの更新動作について説明する。
【００３１】
まず、ステップＳ１において、新しい録画予約が行われたか否かが判断され、新しい録画予約が行われたと判断された場合には、ステップＳ２において、録画予約履歴を１つ追加するように動作頻度測定データが書き換えられて、ステップＳ３に移行される。一方、新しい録画予約が行われていないと判断された場合には、動作頻度測定データが書き換えられることなく、ステップＳ３に移行される。そして、ステップＳ３において、ユーザが３０分以上視聴したか否かが判断され、３０分以上視聴したと判断された場合には、視聴履歴を１つ追加するように動作頻度測定データが書き換えられ、動作が終了される。一方、３０分以上視聴していないと判断された場合には、動作頻度測定データが書き換えられることなく、動作が終了される。この一連の動作は、テレビジョン装置１が起動されている間は、随時繰り返される。
【００３２】
図４は、図１に示した本発明の一実施形態によるテレビジョン装置のファームウェア更新データを受信する動作を説明するためのフロー図である。次に、図４を参照して、本発明の一実施形態によるテレビジョン装置１のファームウェア更新データ受信動作について説明する。
【００３３】
まず、ステップＳ１１において、更新通知が受信されたか否かが判断され、受信されていないと判断された場合には、この判断が繰り返される。一方、受信されたと判断された場合には、フラッシュメモリ９に記憶された更新通知に基づいて、送信されるファームウェア更新データが、現在のファームウェアのバージョンよりも新しい最新のバージョンのデータであるか否かが判断され、最新のデータでないと判断された場合には、そのまま動作が終了される。一方、最新のデータであると判断された場合には、ステップＳ１３において、送信されるファームウェア更新データが、フラッシュメモリ９にすでに記憶されているか否かが判断される。すでに記憶されていると判断された場合には、そのまま動作が終了され、フラッシュメモリ９にまだ記憶されていないと判断された場合には、ステップＳ１４において、テレビジョン装置１の動作状態がスタンバイ状態であるか否かが判断される。スタンバイ状態でないと判断された場合には、ステップＳ１２に移行され、スタンバイ状態であると判断された場合には、ステップＳ１５において、更新通知に基づいて、ファームウェア更新データが受信される。そして、ステップＳ１６において、正常に受信が完了されたか否かが判断され、正常に完了されていない場合には、ステップＳ１２に移行される。一方、正常に完了されたと判断された場合には、ステップＳ１７において、受信されたファームウェア更新データがフラッシュメモリ９に記憶され、動作が終了される。なお、この一連の動作は、テレビジョン装置１が起動されている間は、随時繰り返される。
【００３４】
図５は、図１に示した本発明の一実施形態によるテレビジョン装置のファームウェアを更新する動作を説明するためのフロー図である。次に、図５を参照して、本発明の一実施形態によるテレビジョン装置１のファームウェア更新動作について説明する。
【００３５】
まず、ステップＳ２１において、ファームウェア更新データがフラッシュメモリ９に記憶されたか否かが判断され、記憶されていない場合には、この判断が繰り返される。記憶された場合には、ステップＳ２２において、ファームウェア更新データが最新のデータであるか否かが再度判断され、最新のデータでない場合には、そのまま動作が終了される。一方、最新のデータである場合には、ステップＳ２３において、動作履歴測定データに基づいて、現在時刻が動作頻度最小時間帯であるか否かが判断され、動作頻度最小時間帯でない場合には、現在時刻が動作頻度最小時間帯になるまでこの判断が繰り返される。現在時刻が動作頻度最小時間帯である場合には、ステップＳ２４において、現在、録画予約が行われているか否かが判断され、録画予約が行われている場合には、ステップＳ２３に移行される。録画予約が行われていない場合には、ステップＳ２５において、テレビジョン装置１がスタンバイ状態であるか否かが判断され、スタンバイ状態でない場合には、ステップＳ２３に移行される。スタンバイ状態である場合には、ステップＳ２６において、ファームウェアの更新が行われ、ステップＳ２７において、ファームウェア更新データが削除されて、動作が終了される。
【００３６】
本実施形態では、上記のように、ファームウェアと装置本体の動作履歴とを記憶するフラッシュメモリ９と、フラッシュメモリ９に記憶された動作履歴に基づいてファームウェアの更新を行う制御部７とを設けることによって、動作履歴に基づいて、ユーザが装置を使用する頻度の低いときを選んで、ファームウェアの更新を行うことができるので、ユーザが装置を使用する可能性の低いときに、ファームウェアの更新を行うことができる。これにより、ファームウェアの更新を開始した後に、ユーザによって装置の使用が開始される可能性を低くすることができるので、ユーザの操作が制限される可能性、および、ユーザの操作によって、ファームウェアの更新が途中で停止される可能性を低くすることができる。その結果、ユーザに極力負担をかけることなく、ファームウェアの更新を行うことができる。
【００３７】
また、本実施形態では、テレビジョン放送を録画するハードディスク１２を設け、動作履歴を、番組の録画予約履歴を含むように構成することによって、制御部７が、番組の視聴履歴のみならず、番組の視聴履歴と録画予約履歴の両方に基づいて、ユーザが装置を使用する頻度の低いときを選んで、ファームウェアの更新を行うことができるので、ファームウェアの更新を開始した後に、ユーザによって装置の使用が開始される可能性を低くすることができる。
【００３８】
また、本実施形態では、制御部７を、動作履歴とともに、現在の番組の録画予約状況にも基づいて、ファームウェアの更新を行うように構成することによって、録画予約が行われていないときを選んで、ファームウェアの更新を行うことができるので、ファームウェアの更新により録画予約が消去されるのを防ぐことができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、受信装置の一例としてのテレビジョン装置に本発明を適用した例を示したが、本発明はこれに限らず、プログラムデータの更新を行う受信装置であれば、テレビジョン装置以外の他の受信装置にも適用可能である。
【００４１】
また、上記実施形態では、動作履歴の一例として、視聴履歴および録画予約履歴を示したが、本発明はこれに限らず、少なくとも視聴履歴を含む構成であれば、たとえば、テレビジョン装置の視聴した時間を計測する視聴累積時間の履歴を含む構成であってもよい。
【００４２】
また、上記実施形態では、動作頻度測定データに含まれる視聴履歴および録画予約履歴を、購入時からの累積的な履歴とする例を示したが、本発明はこれに限らず、たとえば、ファームウェアの更新が行われる度に、履歴を初期化するように構成してもよい。このように構成すれば、ユーザの使用状況が時間の経過とともに変化した場合にも、動作頻度測定データが、ユーザの現在の使用状況がより反映されたデータとなるので、ユーザが使用する可能性の低い時間帯をより確実に判断することができる。
【００４３】
また、上記実施形態では、４時間単位に区切られた時間帯ごとに履歴を記憶する例を示したが、本発明はこれに限らず、たとえば、より詳細に、１時間単位に区切られた時間帯を用いてもよい。
【図面の簡単な説明】
【００４４】
【図１】本発明の一実施形態によるテレビジョン装置の構成を説明するためのブロック図である。
【図２】図１に示した本発明の一実施形態によるテレビジョン装置の動作頻度測定データの一例を示した図である。
【図３】図１に示した本発明の一実施形態によるテレビジョン装置の動作頻度測定データを更新する動作を説明するためのフロー図である。
【図４】図１に示した本発明の一実施形態によるテレビジョン装置のファームウェア更新データを受信する動作を説明するためのフロー図である。
【図５】図１に示した本発明の一実施形態によるテレビジョン装置のファームウェアを更新する動作を説明するためのフロー図である。
【符号の説明】
【００４５】
１          テレビジョン装置（受信装置）
２          チューナユニット（受信部）
７          制御部
９          フラッシュメモリ（第１記憶部、第２記憶部）
１２        ハードディスク（第３記憶部）
【図１】
2008294897.tif 000003
【図２】
2008294897.tif 000004
【図３】
2008294897.tif 000005
【図４】
2008294897.tif 000006
【図５】
2008294897.tif 000007
【手続補正書】
【提出日】平成20年3月26日(2008.3.26)
【手続補正１】
【補正対象書類名】特許請求の範囲
【補正対象項目名】請求項５
【補正方法】変更
【補正の内容】
【請求項５】
前記制御部は、前記動作履歴を所定の時間帯ごとに前記第２記憶部に記憶させるように構成されている、請求項１〜４のいずれか１項に記載の受信装置。
【手続補正２】
【補正対象書類名】明細書
【補正対象項目名】００１６
【補正方法】変更
【補正の内容】
【００１６】
上記一の局面による受信装置において、好ましくは、制御部は、動作履歴を所定の時間帯ごとに第２記憶部に記憶させるように構成されている。このように構成すれば、所定の時間帯ごとの動作履歴に基づいて、ユーザが装置を使用する頻度の低い時間帯に、プログラムデータの更新を行うことができる。